(57)【要約】【課題】筬内通路を飛走する緯糸の状態を監視して、緯糸が緯糸先端到達時期前にのびきるタイミングを表示する。【解決手段】緯糸検知装置は、緯入れ用のメインノズル１１及びサブノズル１２からのエア噴射により、筬内通路１７を経て緯糸Ｙが緯入れされるエアジェット織機の緯糸検知装置であって、筬内通路１７のメインノズル１１側における緯糸Ｙの緩みの大きさを検知する光学式センサ４０を備えている。光学式センサ４０は、メインノズル１１の噴射圧の影響を受けない範囲において緯糸Ｙの緩みの大きさを検知する。【選択図】図２
2015094059.tif 000002
【特許請求の範囲】
【請求項１】
緯入れ用のメインノズル及びサブノズルからのエア噴射により、筬内通路を経て緯糸が緯入れされるエアジェット織機の緯糸検知装置であって、
前記筬内通路の前記メインノズル側における前記緯糸の緩みの大きさを検知する光学式センサを備えていることを特徴とするエアジェット織機の緯糸検知装置。
【請求項２】
前記光学式センサは、前記メインノズルの噴射圧の影響を受けない範囲において前記緯糸の緩みの大きさを検知する請求項１に記載のエアジェット織機の緯糸検知装置。
【請求項３】
前記光学式センサは、前記緯糸が波打つ状態で飛走する状態を検知している場合と、前記緯糸がのびきり状態で飛走する状態を検知している場合とで、異なるタイミングでパルス信号を出力する請求項１又は請求項２に記載のエアジェット織機の緯糸検知装置。
【発明の詳細な説明】
【技術分野】
【０００１】
本発明は、エアジェット織機の緯糸検知装置に係り、詳しくは、メインノズル及びサブノズルからのエア噴射により、筬内通路を経て緯糸が緯入れされるエアジェット織機の緯糸検知装置に関する。
【背景技術】
【０００２】
この種のエアジェット織機においては、緯糸の緯入れ状態が圧力エアの圧力設定に大きく左右される。従来、緯入れ後半に関係する緯糸緩み、緯入れミスを解消しつつ噴射流体消費効率も向上し得るジェットルームにおける緯入れ用圧力制御装置が特許文献１に提案されている。特許文献１では、緯糸測長貯留装置における緯糸解舒終了時期と、緯糸先端到達時期とを検出し、緯糸先端到達時期に基づいてメインノズルにおける噴射圧を制御する。また、緯糸先端到達時期と緯糸解舒終了時期との差に基づいてメインノズルにおける噴射圧と、補助ノズル（サブノズル）における噴射圧とを制御する。具体的には、検出された緯糸先端到達時期と検出された緯糸解舒終了時期との差が目標値より大きい場合には補助ノズルにおける噴射圧を高め、前記時期差が目標値よりも小さい場合には補助ノズルにおける噴射圧を下げるように制御する。
【先行技術文献】
【特許文献】
【０００３】
【特許文献１】特開平４−２４１１３５号公報
【発明の概要】
【発明が解決しようとする課題】
【０００４】
緯糸側長貯留装置に貯留された緯糸がメインノズル及びサブノズルからのエア噴射により筬内通路を飛走する状態で緯入れされる際、図６（ａ）に示すように、緯糸Ｙの先端が緯入れ完了の所定位置に到達する途中の状態では、その後端寄りの部分が波打つ状態で飛走する。そして、緯入れ完了近くの時点で図６（ｂ）に示すように、波打つ状態がなくなってのびきり状態で緯入れされる。
【０００５】
緯糸先端が緯入れ範囲の終端に到達する時期である緯糸先端到達時期ＴＷを一定とした状態で、サブノズルの噴射圧（サブ圧）と、緯糸先端到達時期ＴＷと、緯糸側長貯留装置における緯糸解舒終了時期ＴＢＷとの差（ＴＷ−ＴＢＷ）及びのびきり時との関係を示すと、図７のようになる。なお、図７においてＴＷ及びＴＢＷの角度は織機の回転角度を意味する。図７からのびきり時における織機回転角度は、サブ圧が高いほど小さくなることが分かる。即ち、サブ圧が高ければのびきり時も早くなる。
【０００６】
緯糸の緯入れ時におけるサブノズルの最適噴射圧を決定する場合、緯糸先端が緯入れ範囲の終端に到達する時期である緯糸先端到達時期ＴＷと、緯糸側長貯留装置における緯糸解舒終了時期ＴＢＷとの差（ＴＷ−ＴＢＷ）の変化点がひとつの目安となる。しかし、その場合は、直接経糸開口内の緯糸の状態を監視したものではなく、代替的な指標であり、ＴＷ−ＴＢＷの値から、のびきり時を適切な時期とするためのサブ圧にどの程度の余裕があるかの確認はできない。そのため、機台調整時には、ストロボを使用して緯糸の状態を目視で観察して、サブ圧の設定を行っている。しかし、例えば、繻子織り等のように上経糸が連続するような織物組織によっては、経糸開口内の緯糸の状態をストロボで確認することが困難な場合がある。
【０００７】
本発明は、前記の問題に鑑みてなされたものであって、その目的は、筬内通路を飛走する緯糸の状態を監視して、緯糸が緯糸先端到達時期前にのびきるタイミングを表示することができるエアジェット織機の緯糸検知装置を提供することにある。
【課題を解決するための手段】
【０００８】
上記課題を解決する緯糸検知装置は、緯入れ用のメインノズル及びサブノズルからのエア噴射により、筬内通路を経て緯糸が緯入れされるエアジェット織機の緯糸検知装置であって、前記筬内通路の前記メインノズル側における前記緯糸の緩みの大きさを検知する光学式センサを備えている。
【０００９】
この構成によれば、筬内通路を飛走する緯糸Ｙの後端寄りの部分が波打つ状態で飛走しているか、のびきり状態で飛走しているかが光学式センサで検知される。したがって、筬内通路を飛走する緯糸の状態を監視して、緯糸が緯糸先端到達時期前にのびきるタイミングを表示することができる。
【００１０】
前記光学式センサは、前記メインノズルの噴射圧の影響を受けない範囲において前記緯糸の緩みの大きさを検知することが好ましい。この構成によれば、光学式センサにより検知された緯糸の状態から、緯糸がのびきり状態か否かを判断することが、メインノズルの噴射圧の影響を受ける箇所で光学式センサにより検知された緯糸の状態から判断する場合に比べて容易、かつ正確になる。
【００１１】
前記光学式センサは、前記緯糸が波打つ状態で飛走する状態を検知している場合と、前記緯糸がのびきり状態で飛走する状態を検知している場合とで、異なるタイミングでパルス信号を出力する。この構成によれば、光学式センサから出力されるパルス信号から緯糸がのびきり状態か否かを判断することができるため、緯糸の飛走状態の映像から緯糸がのびきり状態か否かを判断する場合に比べて判断が容易になる。また、光学式センサから出力されるパルス信号のパルス間隔が変化する時点が緯糸ののびきりタイミングとなるため、のびきりタイミングの判断も容易になる。
【発明の効果】
【００１２】
本発明によれば、筬内通路を飛走する緯糸の状態を監視して、緯糸が緯糸先端到達時期前にのびきるタイミングを表示することができる。
【図面の簡単な説明】
【００１３】
【図１】緯入れ装置の模式図。
【図２】メインノズル、サブノズル及び緯糸センサを示す概略斜視図。
【図３】筬羽と緯糸センサとの位置関係を示す側断面図。
【図４】筬内通路、緯糸、投受光部の位置関係を示す模式図。
【図５】センサの出力波形を示す模式図。
【図６】（ａ）はのびきり前の緯糸の状態を示す模式図、（ｂ）はのびきり後の緯糸の状態を示す模式図。
【図７】サブ圧とのびきり状態等との関係を示すグラフ。
【発明を実施するための形態】
【００１４】
以下、本発明を具体化した一実施形態を図１〜図５にしたがって説明する。
図１及び図２に示すように、エアジェット織機は、緯入れ用のメインノズル１１と、緯入れ用のサブノズル１２と、筬１３と、巻付方式の緯糸測長貯留装置１４とを備えている。図２に示すように、メインノズル１１、サブノズル１２、筬１３は、スレイ１５上に固定されている。筬１３は、ガイド凹部１６ａ（図３に図示）を有する筬羽１６が緯入れ方向に複数列設されて構成されている。複数の筬羽１６のガイド凹部１６ａにより筬内通路１７が形成されている。
【００１５】
図１に示すように、メインノズル１１は、元圧タンク１８に接続されたメインノズル用タンク１９に管路を介して接続されている。メインノズル１１とメインノズル用タンク１９との間には電磁開閉弁２０が設けられ、メインノズル１１における緯入れ用の圧力エア噴射は、電磁開閉弁２０の開閉により制御される。元圧タンク１８とメインノズル用タンク１９との間には電気式の圧力制御弁２１が設けられ、メインノズル用タンク１９の圧力は、圧力制御弁２１により調整される。
【００１６】
サブノズル１２は、元圧タンク１８に接続されたサブノズル用タンク２２に管路を介して接続されている。サブノズル１２とサブノズル用タンク２２との間には電磁開閉弁２３，２４，２５，２６が設けられ、サブノズル用タンク２２における緯入れ用の圧力エア噴射は、電磁開閉弁２３，２４，２５，２６の開閉により制御される。各電磁開閉弁２３〜２６は、それぞれ複数のサブノズル１２へ圧縮エアの供給を制御するとともに、順次開閉制御されることで複数のサブノズル１２群により所謂リレー噴射が行われるようになっている。元圧タンク１８とサブノズル用タンク２２との間には電気式の圧力制御弁２７が設けられ、サブノズル用タンク２２の圧力は、圧力制御弁２７により調整される。
【００１７】
緯糸測長貯留装置１４は糸巻付面１４ａを有し、糸巻付面１４ａ上への緯糸Ｙの巻付け及び糸巻付面１４ａからの緯糸Ｙの引き出し解舒が、電磁ソレノイド２８の係止ピン２８ａの出没動作によって制御される。電磁ソレノイド２８の励消磁は、制御装置Ｃの指令制御によって行われ、制御装置Ｃは、緯糸解舒検出器２９からの緯糸解舒検出情報に基づいて電磁ソレノイド２８の消磁を制御する。緯糸解舒検出器２９は、糸巻付面１４ａ上の巻き糸の解舒を検出する。
【００１８】
電磁開閉弁２０及び電磁開閉弁２３〜２６の開閉制御は、制御装置Ｃからの指令により行われる。制御装置Ｃは、織機回転角度検出用のロータリーエンコーダ３１から得られる織機回転角度検出信号に基づいて電磁開閉弁２０，２３〜２６の開閉及び電磁ソレノイド２８の励磁を制御する。
【００１９】
メインノズル用タンク１９には圧力検出器３２が接続されており、サブノズル用タンク２２には圧力検出器３３が接続されている。圧力検出器３２，３３によって得られる圧力検出情報は、制御装置Ｃに入力される。制御装置Ｃは、圧力検出器３２，３３からの圧力情報に基づいて圧力制御弁２１，２７をフィードバック制御する。
【００２０】
図２に示すように、サブノズル１２は、支持ブロック３５を介してスレイ１５上に固定されている。サブノズル１２は、スレイ１５の揺動に伴って経糸Ｔの列の間から経糸Ｔの開口内に対して出入り可能となっている。
【００２１】
スレイ１５上には、緯入れされた緯糸Ｙの先端が緯入れ範囲の終端に到達したことを検出する緯糸検出器３７が、支持ブロック３８を介して位置調整可能に固定されている。図１に示すように、緯糸検出器３７は制御装置Ｃに電気的に接続されている。
【００２２】
図２及び図３に示すように、スレイ１５上には、筬内通路１７のメインノズル１１側における緯糸Ｙの緩みの大きさを検知する光学式センサ４０が、支持ブロック３８を介して位置調整可能に固定されている。光学式センサ４０は、メインノズル１１の噴射圧の影響を受けない範囲において緯糸Ｙの緩みの大きさを検知可能な位置に固定されている。
【００２３】
図３及び図４に示すように、光学式センサ４０は、支持体４１の先端部が筬内通路１７と対向し、かつ図３に鎖線で示すように、筬打ち時には支持体４１の先端部が織布Ｗ及び織前Ｗ１の下方を移動して織布Ｗと干渉しないようにスレイ１５に固定されている。支持体４１は筒状に形成され、図４に示すように、その先端部には発光ダイオードからなる投光部４２及びフォトトランジスタよりなる受光部４３が設けられており、投光部４２及び受光部４３はリード線４４を介して制御装置Ｃに電気的に接続されている。
【００２４】
光学式センサ４０は、受光部４３で受光した受光信号に基づき、緯糸Ｙが波打つ状態で飛走する状態を検知している場合と、緯糸Ｙがのびきり状態で飛走する状態を検知している場合とで、異なるタイミングでパルス信号を出力する図示しない出力部を有する。具体的には、偏調光を用いて、受光部４３からの緯糸Ｙの信号の変化状態をパルスに変換して信号を出力する。その結果、図５に示すように、緯糸Ｙが波打つ状態で飛走する状態を検知している状態では、パルス信号Ｐの間隔が短くなり、緯糸Ｙがのびきり状態で飛走する状態を検知している状態では、パルス信号の間隔が長くなる。そして、図５において、パルス信号の出力間隔が短い状態から長い状態に変化するタイミングがのびきりタイミングとなる。
【００２５】
制御装置Ｃには図示しない表示装置が接続されている。制御装置Ｃは、マイクロコンピュータ及びメモリを備えており、図５に示すパルス信号の出力状態から演算したのびきりタイミングを織機回転角度で表したデータを、例えば、過去数百回分メモリに記憶して、逐次更新するようになっている。そして、制御装置Ｃは、表示装置の表示画面に、過去複数回の緯入れについて、のびきりタイミングを織機回転角度で表した数値データで同時に表示したり、図５に示すように、パルス波形を織機回転角度に対応する状態で表示したりする。制御装置Ｃは、光学式センサ４０の出力信号に基づいて、緯糸Ｙが緯糸先端到達時期前にのびきるタイミングを判断する判断手段として機能する。
【００２６】
次に前記のように構成されたエアジェット織機の緯糸検知装置の作用を説明する。
エアジェット織機の駆動時、緯糸検知装置は、光学式センサ４０の投光部４２から筬内通路１７に向けて偏調光を出射し、筬羽１６のガイド凹部１６ａで反射した光を受光部４３で検知する。そして、受光部４３の検出信号が信号処理によりパルス信号に変換されて出力され、筬内通路１７を飛走する緯糸Ｙの飛走状態が検知される。投光部４２及び受光部４３と対向する箇所における筬内通路１７内を飛走する緯糸Ｙの状態が、波打つ状態の場合は、出力されるパルス信号の間隔が短くなる。また、投光部４２及び受光部４３と対向する箇所における緯糸Ｙの状態がのびきり状態であると、出力されるパルス信号の間隔が長くなる。その結果、緯糸Ｙの飛走状態が波打ち状態からのびきり状態に変化する時点においては、図５に示すように、パルス信号の間隔が短い状態から長い状態に変化する。
【００２７】
制御装置Ｃは、緯入れ毎にパルス信号の間隔が短い状態から長い状態に変化した時の織機の回転角度をのびきり時のタイミングとして記憶する。こののびきり時のタイミングデータは、予め設定された緯入れ回数あるいは緯入れ時間を超えた時点から古いデータが順次削除されて新しいデータに更新される。制御装置Ｃは、表示装置の表示画面に、メモリに記憶されているデータから、所定回数分のデータをのびきり時のタイミングにおける織機回転角度の値として表示する。したがって、作業者はそのデータを見ることにより、緯入れが安定して行われているか及び予め設定された条件で行われているかを容易に確認することができる。
【００２８】
また、緯糸Ｙの種類や織り幅を変更する場合には、メインノズル１１及びサブノズル１２から噴射される圧縮エアの圧力調整を行う必要がある。その際、サブノズル１２から噴射される圧縮エアの圧力を変更しながら、制御装置Ｃに接続された表示装置の画面で、緯糸ののびきり状態の情報を確認しながらサブノズル１２の適切なサブ圧を設定すれば、ストロボを使用してのびきり状態を確認する場合に比べて作業が容易になる。また、ストロボを使用した方法では経糸開口内の緯糸の状態を目視するのが難しい製織状態、例えば、繻子織り等のように上経糸が連続するような織物を製織する場合でも、緯糸の状態及びのびきりタイミングを容易に確認することができる。
【００２９】
この実施形態によれば、以下に示す効果を得ることができる。
（１）緯糸検知装置は、緯入れ用のメインノズル１１及びサブノズル１２からのエア噴射により、筬内通路１７を経て緯糸Ｙが緯入れされるエアジェット織機の緯糸検知装置であって、筬内通路１７のメインノズル１１側における緯糸Ｙの緩みの大きさを検知する光学式センサ４０を備えている。この構成によれば、筬内通路１７を飛走する緯糸Ｙの後端寄りの部分が波打つ状態で飛走しているか、のびきり状態で飛走しているかが光学式センサ４０で検知される。したがって、筬内通路を飛走する緯糸の状態を監視して、緯糸が緯糸先端到達時期前にのびきるタイミングを表示することができる。
【００３０】
（２）光学式センサ４０は、メインノズル１１の噴射圧の影響を受けない範囲において緯糸Ｙの緩みの大きさを検知する。メインノズル１１の噴射圧の影響を受ける範囲では、光学式センサ４０の検出信号から緯糸Ｙがのびきり状態か否かを判断するのが難しい。しかし、メインノズル１１の噴射圧の影響を受けない範囲において、緯糸Ｙの緩みの大きさを検知すれば、緯糸Ｙがのびきり状態か否かの判断が容易になる。
【００３１】
（３）光学式センサ４０は、緯糸Ｙの緩みの大きさが許容範囲を超えている状態と超えていない状態とで異なるタイミングでパルス信号を出力する。この構成によれば、光学式センサ４０からの出力パルス信号を確認することにより、緯糸Ｙがのびきり状態か否かを判断することができるため、緯糸Ｙの飛走状態の映像から緯糸Ｙがのびきり状態か否かを判断する場合に比べて判断が容易になる。また、光学式センサ４０から出力されるパルス信号のパルス間隔が変化する時点が緯糸Ｙののびきりタイミングとなるため、のびきりタイミングの判断も容易になる。
【００３２】
実施形態は前記に限定されるものではなく、例えば、次のように具体化してもよい。
○  制御装置Ｃは、のびきりタイミングのデータに基づいて、のびきりタイミングが予め設定された織機の運転状態における許容範囲からずれたことを確認した場合、警告行うようにしてもよい。例えば、警告の方法としては警告ランプを点灯させたり、警告音を発生させたりする。
【００３３】
○  制御装置Ｃは、のびきりタイミングのデータに基づいて、のびきりタイミングが予め設定された織機の運転状態における許容範囲からずれた状態が、予め設定された所定時間あるいは所定緯入れ回数継続した場合、サブノズル１２の噴射圧を制御するようにしてもよい。また、サブノズル１２の噴射圧を制御するとともに、警告行うようにしてもよい。  
【００３４】
○  制御装置Ｃは、織機の運転中、常に緯糸検知装置（光学式センサ４０）を駆動させて、緯糸Ｙののびきりタイミングに関するデータを確認して表示画面に表示する構成に限らない。例えば、作業者が緯糸検知装置を駆動状態にしたときにのみ、緯糸検知装置を駆動させて、緯糸Ｙののびきりタイミングに関するデータを確認して表示画面に表示する構成としてもよい。この場合、機台調整時あるいは作業者が必要としたときにのみ緯糸検知装置が駆動されるため、エネルギー消費が削減される。
【００３５】
○  光学式センサ４０は、投光部４２及び受光部４３が独立した構成ではなく、投光部と受光部４３が一体化された投受光部を備えていてもよい。
○  緯糸検知装置は、筬内通路１７の二箇所以上にセンサを配置して各センサで緯糸Ｙの有無を検知し、特定のセンサから緯糸有信号が安定して出力されたときをのびきりタイミングと判断するようにしてもよい。
【００３６】
○  緯糸検知装置は、緯糸Ｙののびきり後における緯糸安定飛走位置にセンサ検知領域を設定し、緯糸有信号が所定時間以上継続したらのびきりタイミングと判断するようにしてもよい。
【００３７】
○  光学式センサ４０は、メインノズル１１の噴射圧の影響を受けない範囲に限らず、メインノズル１１の噴射圧の影響を受ける位置、例えば、メインノズル１１の直近位置において緯糸Ｙの緩みの大きさを検知してもよい。
【００３８】
○  光学式センサは、一対の投光部と受光部を備え、投光部から偏調光を出射し、受光部の検出信号が信号処理によりパルス信号に変換されて出力される構成に限らない。例えば、複数の投受光部を有する光電センサを備えたものを使用し、特定の受光部から緯糸有信号が継続したらのびきりと判断するようにしてもよい。
【００３９】
○  光学式センサは、筬内通路１７の近傍に配置される投光部（投光器）及び受光部（受光器）がリード線で投光用電源及び受光信号処理部と電気的に接続された構成に限らない。例えば、投光器及び受光器はスレイ１５上に設けられ、基端部が投光器に接続された投光用光ファイバー及び基端部が受光器に接続された受光用光ファイバーを、先端部が筬内通路１７と対向する状態となるように支持体４１内に挿通された構成としてもよい。この場合、支持体４１内に投光器及び受光器を設ける構成に比べて支持体４１を細くすることができる。
【００４０】
○  光学式センサとして、投光用及び受光用の光ファイバーを用いた構成を採用した場合、支持体４１内に複数本の光ファイバーを挿通して、複数の投光用光ファイバー及び受光用光ファイバーの先端部を、筬内通路１７内の緯糸Ｙの振動方向に沿って配置することが容易になる。
【００４１】
以下の技術的思想（発明）は前記実施形態から把握できる。
（１）請求項１〜請求項３のいずれか１項に記載の発明において、前記光学式センサの出力信号に基づいて、緯糸が緯糸先端到達時期前にのびきるタイミングを判断する判断手段を備えている。
【００４２】
（２）技術的思想（１）に記載の発明において、前記判断手段は、複数回の緯入れ時の緯糸ののびきりタイミングを織機回転角度で表示するデータを表示装置に出力する。
【符号の説明】
【００４３】
Ｐ…パルス信号、Ｙ…緯糸、１１…メインノズル、１２…サブノズル、１７…筬内通路、４０…光学式センサ。
【図１】
2015094059.tif 000003
【図２】
2015094059.tif 000004
【図３】
2015094059.tif 000005
【図４】
2015094059.tif 000006
【図５】
2015094059.tif 000007
【図６】
2015094059.tif 000008
【図７】
2015094059.tif 000009